(57)【特許請求の範囲】
【請求項１】
収納装置に立設された背板部に固着され、ディスプレイを含む電子機器が取り付けられる取付パネルの取付構造であって、
上記取付パネルは、上記背板部との間に空間を形成する縦桟を介して上記背板部の前面側に固着されており、上記縦桟は、上記背板部の後面側に設けられた横桟によって固定支持されていることを特徴とする取付パネルの取付構造。
【請求項２】
請求項１に記載の取付パネルの取付構造において、
上記横桟は、上記取付パネルが設置される部屋の壁面と上記背板部の後面側との間に介在することを特徴とする取付パネルの取付構造。
【請求項３】
請求項１又は請求項２に記載の取付パネルの取付構造において、
上記取付パネルは、上記縦桟及び上記背板部を貫通して上記横桟に至る連結締結具によって、上記背板部に固着されていることを特徴とする取付パネルの取付構造。
【請求項４】
請求項１〜請求項３のいずれか１項に記載の取付パネルの取付構造において、
上記取付パネルと上記背板部との間に形成される上記空間に、棒状の光源が長手方向に横設されていることを特徴とする取付パネルの取付構造。
【請求項５】
請求項４に記載の取付パネルの取付構造において、
上記縦桟は上記光源の両端部から所定の間隔を空けて両側に設けられていることを特徴とする取付パネルの取付構造。
【発明の詳細な説明】
【技術分野】
【０００１】
本発明は、収納装置に立設された背板部の前面側に固着され、電子機器のディスプレイが取付られる取付パネルの取付構造であって、詳しくは、薄型テレビなどの電子機器のディスプレイが壁掛け設置可能な取付パネルの取付構造に関する。
【背景技術】
【０００２】
近年、プラズマ或いは液晶の薄型テレビの軽量化に伴い、この利点を活かして従来のようにＴＶ台の上にテレビを載置するのではなく、テレビを壁面に掛けて設置できる収納装置（ＡＶ（ＡｕｄｉｏＶｉｓｕａｌ）ユニット）が知られている。
しかしながら、前面開口の箱型からなる収納装置の背板部に、テレビを壁掛け設置する場合は、テレビの音響による振動が背板部に直接伝わるため、背板部が振動することが問題となっていた。また振動だけでなく、テレビから発する熱もうまく放熱させる構造が必要であった。更にはリビングのインテリアとしての演出効果の向上や目の疲れの軽減効果を狙って、薄型テレビの背面に照明器具を配置し間接照明機能を備えた収納装置が求められている。
【０００３】
下記特許文献１、２には、薄型テレビを壁掛け設置可能とした収納装置が開示されている。
下記特許文献１には、背板部（支持体）が前後一対の板状体からなり、一対の板状体の間には縦方向に矩形状の芯材が配置されているものが記載されている。
下記特許文献２には、壁に設けられる凹部に固定される収納装置であって、テレビが取り付けられる取付パネルはテレビから発する熱を拡散させる拡散部とテレビの音を防音する防音部とを有し、凹部のうしろに位置する壁とテレビとの間に隙間を設けた構造が記載されている。
【特許文献１】特開２０００−２７０９４１号公報
【特許文献２】特開２００６−２８８７２号公報
【発明の開示】
【発明が解決しようとする課題】
【０００４】
しかしながら上記特許文献１に記載のものでは、芯材を構成することにより、背板部を軽量化することはできても、板状体同士の間隔が狭いため、テレビの音響による振動及び熱が伝わってしまうものであった。また上記特許文献１に記載のものは、テレビの後方側を照射するための照明器具を備えているが、後方の上方からテレビを照らすものであり、テレビの背面から光を発する照明器具を構成できるものではなかった。
上記特許文献２に記載のものは、拡散部として熱伝導率のよい銅、アルミニウム、鉄などの金属を用いる必要があり、防音部として鉄板やコンクリートなどを用いる必要があるため、コスト高となる懸念があった。また防音部として上述のような高比重の材料を用いることになると、これを支える支持部を強固に固定するようがある。更に上記特許文献２に記載のものも、薄型テレビの背面に照明器具を配置するスペースがないものであった。
【０００５】
本発明は上記課題を解決するためになされたものであり、簡易な構造でありながら、背板部への振動の伝わりなどを防止する壁掛け設置可能な取付パネルの取付構造を提供するものである。
【課題を解決するための手段】
【０００６】
上記目的を達成するために本発明の取付パネルの取付構造は、収納装置に立設された背板部に固着され、ディスプレイを含む電子機器が取付られる取付パネルの取付構造であって、上記取付パネルは、上記背板部との間に空間を形成する縦桟を介して上記背板部の前面側に固着されており、上記縦桟は、上記背板部の後面側に設けられた横桟によって固定支持されていることを特徴とする。
本発明において、上記横桟は、上記取付パネルが設置される部屋の壁面と上記背板部の後面側との間に介在する構造としてもよい。
また上記取付パネルは、上記縦桟及び上記背板部を貫通して上記横桟に至る連結締結具によって、上記背板部に固着されている構造としてもよい。
更に上記取付パネルと上記背板部との間に形成される上記空間に、棒状の光源が長手方向に横設されている構造としてもよい。
そして上記縦桟は上記光源の両端部から所定の間隔を空けて両側に設けられている構造としてもよい。
【発明の効果】
【０００７】
本発明の取付パネルの取付構造によれば、取付パネルは、上記背板部との間に空間を形成する縦桟を介して上記背板部の前面側に固着されているので、電子機器が取り付けられる取付パネルに伝わる振動が直接背板部に伝わることがなく、背板部に振動が生じることを防止できる。また取付パネルと背板部との間に空間が形成されるので、テレビなどの電子機器が発する熱を速やかに放熱させることもできる。更にこの空間に照明器具を配置させることもできるので、インテリアとしての演出効果を向上させることができる。
取付パネルと背板部との間に介在する縦桟は、背板部の後面側に設けられた横桟によって固定支持されている構造としているので、背板部を例えば１０ｍｍ以下の薄板とした場合でも、強固に取付パネルを背板部に固着させることができ、耐荷重性を備えた構造とすることができる。
また本発明が採用された収納装置を部屋の壁面に接するように設置した場合には、横桟がスペーサとなって、背板部と壁面との間に空間が形成されるので、壁面に電子機器に起因する振動、熱が伝わるのを防止するとともに、電子機器の配線がし易くなる。
【発明を実施するための最良の形態】
【０００８】
以下、図とともに本発明の実施の形態について説明する。
図１は本発明の取付パネルの取付構造が採用された収納装置の全体正面斜視図、図２は同収納装置の取付パネルと縦桟の構造を説明するための斜視図、図３は図１のＸ−Ｘ線矢視断面図、図４は図１のＹ−Ｙ線矢視断面図、図５は図４のＡ部拡大断面図である。ここでは電子機器のディスプレイとしてプラズマ或いは液晶などのディスプレイを備えた薄型のテレビを壁掛け設置可能とした収納装置の例ついて説明する。また図２は説明のため、収納装置の取付パネル、縦桟、照明部のみを示している。
【０００９】
図において１は収納装置、２はオープンラック部、２０は側板部、２５は天板部、２１は背板部、３は収納部、３０は収納部３の天板、４は収納装置１が設置される部屋の壁面、４０は壁板、４１は壁桟、５はテレビ、５０はテレビ５を後記する取付パネル２２に壁掛け設置する取付具、６はテレビ５を背面から照らす照明部、６０は光源、２２は取付具５０によってテレビ５が取り付けられる取付パネル、２３は縦桟、２４は横桟、７は取付パネル２２を背板２１に固着させる連結ボルト、８、９は壁面４に収納装置１を固定するための壁面固定用ねじ、１０は連結ボルト７が螺入されるナットである。
側板部２０、天板部２５、背板部２１、収納部３の天板３、扉面３１などは合板などの木製板体からなり、おもて面となる側には化粧パネルを貼着させた突き板などで構成される。
【００１０】
収納装置１は、リビングなどの室内の壁面４に接して設置できるように箱型に形成されており、図ではテレビ用のオープンラック部２を備えた収納装置１を示しているが、本棚や飾り棚などを備えた箱型収納装置と組み合わせてシステム収納装置とすることができる。
収納装置１は、オープンラック部２と、収納部３とを備えている。
オープンラック部２にはテレビ５を設置することができ、収納部３は、引出し式、或いは扉式に構成され、ＤＶＤプレーヤ、ビデオデッキ、ＤＶＤソフトなどを収納することができる。ここに示す収納装置１は収納部３のみがキャスター３０（図４参照）を備えた可動式になっており、収納装置１自体は後述するように壁面４に固定設置されている。
【００１１】
オープンラック部２は前面開口の箱型からなり、矩形状の板体からなる背板部２１の両側部には側板部２０、背板部２１の上側部には天板部２５が構成されている。この背板部２１、側板部２０、天板部２５からなる外枠ユニット２００が設置床面上に設置され、壁面４に固着される。
また背板部２１の中央部にはテレビ５の配線や照明部６の電源ケーブルなどを引き込む開口部（不図示）を備えており、該開口部は、後記する取付パネル２２に形成される開口部２２０と連通するよう形成される。また背板部２１には連結ボルト７を貫通させるためのボルト孔２１０（図５参照）が計４個形成されている。
尚、オープンラック部２と収納部３の背板部２１は、図４に示すように連続した一枚の板体としてもよいし、オープンラック部２と収納部３との背板部は別々に形成されたものとしてもよい。
【００１２】
オープンラック部２は、テレビ５が壁掛け設置できるように取付パネル２２を備えている。取付パネル２２は長方形の薄板体からなり、その中央にはテレビ５の配線を背板部２１の後面側まで引き込めるよう開口部２２０及び縦桟２３の貫通孔２３０と連通する計４個のボルト孔２２１（図１、図５参照）が形成されている。
取付パネル２２の前面側にはテレビ５を壁掛け設置するための取付具５０が取り付けられる。
取付パネル２２は、背板部２１との間に空間が形成する縦桟２３を介して背板部２１の前面側に固着されており、縦桟２３は、背板部２１の後面側に設けられた横桟２４によって固定支持されている。すなわち、背板部２１の前面側には、取付パネル２２を固定する縦桟２３が縦設され、背板部２１の後面側と壁面４との間には、縦桟２３を固定支持する横桟２４が横設されている。
尚、取付パネル２２の形状、大きさはその前面側に取り付けられるテレビ５の形状、大きさに応じて変えることができる。
【００１３】
縦桟２３は後記する貫通孔２３０を備えた矩形状の板体からなり、取付パネル２２と固着する部分には取付パネル２２に形成されているダボ穴（不図示）と嵌合する突部（不図示）と、連結ボルト７を貫通させるためのボルト孔２３０が形成されている。図２に示すように、縦桟２３は取付パネル２２の裏面両側部に設けられ、取付パネル２２のダボ穴に縦桟２３の突部を嵌合させ固着一体としている。またダボ穴との嵌合の際に、接着剤を用いれば、取付パネル２２と縦桟２３の固着関係が一層強固にすることができる。
【００１４】
取付パネル２２と背板２１の間に上述の縦桟２３が介在する構造としているので、取付パネル２２と背板２１との間に空間が形成される。
これにより、テレビ５が取り付けられる取付パネル２２に伝わる振動が直接背板部２１に伝わることがなく、背板部２１に振動が生じることを防止できる。また取付パネル２２と背板部２１との間に空間が形成されるので、テレビ５が発する熱を速やかに放熱させることもできる。
【００１５】
また取付パネル２２と背板部２１との間に形成される空間には、照明部６を配置させることができる。
照明部６は取付パネル２２の上端部後面側にビス固定されている。
照明部６は光源６０を点灯、消灯させるための電源装置などが組込まれた装置部６１と、装置部６１を覆うカバー部６２と、蛍光灯などの線状の光源６０とを備えている。
図２に示すように、棒状の光源６０を長手方向に横設させれば、テレビ５の上端部背面から光が照射され、効果的なライトアップをすることができ、雰囲気のあるインテリア空間を演出することができる。また目の疲れの軽減効果を図ることもできる。
また縦桟２３が光源６０の両端部から所定の間隔を空けて両側に設けられているので（図２、図３参照）、照明部６の周囲に空間が形成され、光源６０が発する熱を効果的に放熱させることができる。更に光源６０の上方に遮るものがないので、光源６０の取外しが取付パネル２２の前方から容易に行うことできる。
【００１６】
背板部２１の後面側には、光源６０と平行に２本の横桟２４が設けられている。横桟２４は拍子木状の角材からなり、背板部２１との固着面側には連結ボルト７が螺着されるよう鬼目ナット（登録商標）などのインサート型のナット１０が埋設されている。横桟２４は、背板部２１の後面側で、且つ縦桟２３の貫通孔２３０及び背板部２１のボルト孔２１０と、上記ナット１０とが通じる所定位置に接着剤などで固着されている。
よって収納装置１を壁面４に接するように設置した場合に、図４に示すように背板部２１と壁面４との間に空間が形成される。
このように横桟２４がスペーサとなって、壁面４にテレビ５の音響に起因する振動やテレビ５が発する熱が伝わるのを防止することができるとともに、この空間をテレビ５の配線の引き込みスペースとすることができる。また壁面４と背板部２１が密着しないため、通気性がよくなる。よって、気密性の高い部屋に収納装置１を設置した場合でも、背板部２１に湿気が溜まるのを防止し、カビなどの発生を防ぐことができる。
更に横桟２４は後記する連結ボルト７が螺合するナット１０を備えており、縦桟２３は、横桟２４によって固定支持されるため、背板部２１を例えば１０ｍｍ以下の薄板としても、横桟２４が背板部２１の補強部材として機能し、背板部２１の前面側に取り付けられる取付パネル２２、取付具５０、テレビ５の荷重に耐えられる構造とすることができる。
【００１７】
次に収納装置１の設置手順及び取付パネル２２の取付手順の概略について説明する。
まず、テレビ５の電源ケーブルの取り出し位置を確保できるよう収納装置１の設置位置を設定する。そして背板部２１、側板部２０、天板部２５からなる外枠ユニット２００を壁面４に接するよう床面１００に対して垂直且つ水平に設置する。
外枠ユニット２００の設置位置が確定したら、オープンラック部２の背板部２１の上方角部に形成されたねじ孔に壁面固定ねじ９をねじ込むとともに、背板部２１の中央付近の四方４箇所に形成されたねじ孔に壁面固定ねじ８をねじ込む。このとき、壁面固定ねじ８は図３に示すように、背板部２１及びその後面側に横設された横桟２４を貫通して壁面４の壁桟４１に至り、背板部２１を壁面４に固着させている。
壁桟４１の高さ位置は規定により定められているため、これに対応するよう横桟２４及びねじ孔が設定されているので、壁面固定ねじ９、８は壁面４の壁桟４１にねじ込まれ、壁面４に外枠ユニット２００を固着させることができる（図４参照）。
これによれば、地震が起こったり、子供がよじ登ったりしても外枠ユニット２００が転倒することがなく、安全性に配慮されたものとすることができる。
【００１８】
次に、縦桟２３及び照明部６を備えた取付パネル２２を背板部２１に連結ボルト７で締結一体とする。
取付パネル２２の前面側から連結ボルト７を螺入し、背板部２１の後面側に固着されている横桟２４のナット１０に螺合させる。
すなわち、連結ボルト７はボルト孔２２１、２３０、２１０を貫通して横桟２４のナット１０に至り、取付パネル２２と背板部２１とを締結するとともに、取付パネル２２、縦桟２３、背板部２１、横桟２４の固着関係も強固なものとしている。
これによれば、部品点数を増やすことなく、取付パネル２２を背板部２１に固着でき、横桟２４にナット１０が埋設されているので、背板部２１を１０ｍｍ未満の薄板とすることができる。そしてこのように背板部２１に強固に取付パネル２２が固着されるので、取付パネル２２の前面側に取り付けられる取付具５０及びテレビ５を壁面設置しても、それらの荷重に耐えることができる。また背板部２１自体は上述のように壁面４に固着されているので、これらの荷重で転倒するおそれもない。
【００１９】
背板部２１に取付パネル２２を固着した後、取付パネル２２の前面側に取付具５０を取り付け、その後テレビ５を取り付ける。このとき、テレビ５の電源ケーブルは取付パネル２２の開口部２２０及び背板部２１の開口部を通じて、背板部２１の後面側に引き込んでおき、コンセントに接続できるようにしておく。
そして収納部３を所定の位置に設置することにより、収納装置１とすることができる。
【００２０】
以上の取付手順は一例であって、これに限定されるものではない。また取付パネル２２の取り付けは収納装置１のオプション設定にできるよう、連結ボルト７で連結する例を述べたが、ビス固定する構造としてもよい。ビス固定とする場合は、上述のように壁面４に背板部２１を固定する壁面固定ねじ８と取付パネル２２を背板部２１に取り付ける連結ボルト７を別にすることなく、１本のビスを取付パネル２２、縦桟２３、背板部２１、横桟２４、壁面４の壁桟４１にまで貫通させる構造とすることもできる。
【００２１】
更に、本発明の取付パネル２２の取付構造は、図例に示した前面開口の箱型のオープンラック部２を備えた収納装置１に限定されず、上記特許文献１及び２に示すようなテレビ５が壁面に埋め込まれたシアターパネル型の収納装置にも適用可能である。
そして収納装置１の形状は図例に限定されるものではなく、また収納装置１を壁面固定する例について述べたが、必ずしも壁面固定とする必要とする構造以外にも適用可能であり、電子機器のディスプレイの例としてテレビ５とした場合について述べたが、パソコンのディスプレイなどとすることもできる。
【図面の簡単な説明】
【００２２】
【図１】本発明の取付パネルの取付構造が採用された収納装置の全体正面斜視図である。
【図２】同収納装置の取付パネルと縦桟の構造を説明するための斜視図である。
【図３】図１のＸ−Ｘ線矢視断面図である。
【図４】図１のＹ−Ｙ線矢視断面図である。
【図５】図４のＡ部拡大断面図である
【符号の説明】
【００２３】
１      収納装置
２１      背板部
２２      取付パネル
２３      縦桟
２４      横桟
５      テレビ
６      照明部
６０      光源
７      連結ボルト（連結締結具）
【図１】
0005061028.tif 000002
【図２】
0005061028.tif 000003
【図３】
0005061028.tif 000004
【図４】
0005061028.tif 000005
【図５】
0005061028.tif 000006